(57)【要約】【課題】スピニングリールにおいて、スプールの製造コストを抑える。【解決手段】スプール４のスカート部７ｂには、内外周を貫通する釣糸係止部５０が装着されている。釣糸係止部５０は、スカート部７ｂの外方に露出して設けられた係止部７０ａと、スカート部７ｂを貫通し内部に延びる取付部７０ｂとを有している。糸巻胴部７ａの後端部には、スプール４がスプール軸１５に対して相対回転したときに発音する発音機構７０が装着されている。発音機構７０は、円板部材１６と、糸巻胴部７ａの後端部に取り付けられ円板部材１６と相対回転可能に装着された爪部材１７とを有している。釣糸係止部５０の取付部５０ｂは、取付手段１８により発音機構７０の爪部材１７とともに取り付けられている。【選択図】      図３
2004329170.tif 000002
【特許請求の範囲】
【請求項１】
リール本体に対して前後移動自在にかつスプール軸に回転可能に装着され、前記スプール軸に回転不能に装着された第１発音部との相対回転により発音するスピニングリールのスプールであって、
外周に釣り糸が巻き付けられる糸巻胴部と、
前記糸巻胴部外周の後端部に大径筒状に設けられたスカート部と、
前記糸巻胴部の後端部に前記第１発音部と接触可能に取り付けられ、前記第１発音部との相対回転により発音する第２発音部と、
前記スカート部の内外周を貫通して装着され、前記スカート部の外周側に露出する部分において前記釣り糸を係止する係止部と、前記スカート部の内周側に前記第２発音部とともに取り付け可能な取付部とを有する釣糸係止部と、
を備えたスピニングリールのスプール。
【請求項２】
前記取付部及び前記第２発音部は、前記スカート部の内周側にねじ止めされている、請求項１に記載のスピニングリールのスプール。
【請求項３】
前記取付部は、前記スカート部の内周側に第１ねじ部材により固定され、
前記第２発音部は、前記第１ねじ部材に第２ねじ部材により固定されている、、請求項２に記載のスピニングリールのスプール。
【請求項４】
前記第１発音部は、前記第２発音部と対向する面に配置され、周方向に間隔を隔てて形成された複数の凹凸部を有する円板部材であり、
前記第２発音部は、前記第１発音部方向に付勢されて設けられ、前記凹凸部に接触して発音する爪部材である、請求項１から３のいずれかに記載のスピニングリールのスプール。
【請求項５】
前記爪部材は、金属により形成されており、
前記第２発音部は、前記爪部材を前記第１発音部方向に付勢する付勢部材をさらに有している、請求項４に記載のスピニングリールのスプール。
【請求項６】
前記係止部は、合成樹脂製部材である、請求項１から５のいずれかに記載のスピニングリールのスプール。
【請求項７】
前記係止部及び前記取付部は、合成樹脂により一体成形されている、請求項６に記載のスピニングリールのスプール。
【発明の詳細な説明】
【０００１】
【発明の属する技術分野】
本発明は、スプール、特に、リール本体に対して前後移動自在なスピニングリールのスプールに関する。
【０００２】
【従来の技術】
一般に、スピニングリールは、ハンドルを回転自在に支持するリール本体と、ロータと、スプール軸に回転可能に装着されたスプールとを備えている。スピニングリールのスプールは、リール本体に対して前後移動自在であり、外周に釣り糸が巻き付けられる糸巻胴部と、糸巻胴部の後端部に設けられた大径筒状のスカート部とを備えている。スカート部には、糸巻胴部に巻かれた釣り糸を係止するための釣糸係止部が設けられている（たとえば、特許文献１参照）。
【０００３】
このような釣糸係止部は、釣り糸の先端部分を係止し、釣り糸がばらけないようにするためのものである。釣糸係止部は、合成樹脂製の係止部と、係止部と一体成形された板状の取付部とを有している。係止部は、たとえばスカート部の外周面に沿って露出し、スカート部外周面と僅かな隙間をあけて配置されている。取付部は、係止部から略直角方向に折れ曲がってスカート部に形成された透孔を貫通し、スカート部内周側の前端部に固定されている。このような釣糸係止部では、係止部とスカート部との間に形成された隙間に釣り糸を挟持し、係止部における合成樹脂の弾性力により釣り糸を係止している。
【０００４】
また、フロントドラグ型のスピニングリールでは、糸巻胴部の内部には、複数のドラグ板からなるドラグ機構や、ドラグ機構作動時に発音する発音機構を有している。
このような発音機構は、たとえば糸巻胴部の後端部に装着されたばね部材と、ばね部材に接触して発音する円板部材とを備えている。この円板部材は、内周にスプール軸が回転不能に係合し、外周に凹凸部が形成されており、ばね部材との相対回転により凹凸部にばね部材に接触して発音するようになっている。
【０００５】
【特許文献１】
特開２００２−４５０９３号公報
【０００６】
【発明が解決しようとする課題】
前記従来のスピニングリールのスプールでは、釣糸係止部の取付部と発音機構のばね部材とを別々に取り付けている。このため、取付部とばね部材とをそれぞれ取り付けるための取付手段を複数設けなければならず、全体の製造工程や部品点数が増加するおそれが生じる。このように、全体の製造工程や部品点数が増加すると、スプールの製造コストが増大するおそれがある。
【０００７】
本発明の課題は、スピニングリールにおいて、スプールの製造コストを抑えることにある。
【０００８】
【課題を解決するための手段】
発明１に係るスピニングリールのスプールは、リール本体に対して前後移動自在にかつスプール軸に回転可能に装着され、スプール軸に回転不能に装着された第１発音部との相対回転により発音するスピニングリールのスプールであって、外周に釣り糸が巻き付けられる糸巻胴部と、糸巻胴部外周の後端部に大径筒状に設けられたスカート部と、糸巻胴部の後端部に第１発音部と接触可能に取り付けられ第１発音部との相対回転により発音する第２発音部と、スカート部の内外周を貫通して装着されスカート部の外周側に露出する部分において釣り糸を係止する係止部とスカート部の内周側に第２発音部とともに取り付け可能な取付部とを有する釣糸係止部とを備えている。
【０００９】
このスピニングリールのスプールでは、釣糸係止部の取付部はスカート部の内周側に第２発音部とともに取り付けられている。ここでは、取付部と第２発音部とが１つの取付手段により取り付けられているので、取付部と第２発音部とを別々に取り付ける場合に比して、全体の製造工程や部品点数を減少させることができる。したがって、スプールの製造コストを抑えることができる。
【００１０】
発明２に係るスプールは、発明１のスプールにおいて、取付部及び第２発音部は、スカート部の内周側にねじ止めされている。この場合、ねじ部材によりねじ止めすることで、安価な構成かつ容易に取付部及び第２発音部を固定できる。
発明３に係るスプールは、発明２のスプールにおいて、取付部は、スカート部の内周側に第１ねじ部材により固定されている。第２発音部は、第１ねじ部材に第２ねじ部材により固定されている。この場合、たとえば第１ねじ部材及び第２ねじ部材を同軸になるように配置することにより、取付部及び第２発音部の取付手段をコンパクトに配置できる。
【００１１】
発明４に係るスプールは、発明１から３のいずれかのスプールにおいて、第１発音部は、第２発音部と対向する面に配置され、周方向に間隔を隔てて形成された複数の凹凸部を有する円板部材である。第２発音部は、第１発音部方向に付勢されて設けられ、凹凸部に接触して発音する爪部材である。この場合、ドラグ機構を作動しスプールを回転させると、爪部材が回転し、円板部材の凹凸部に接触して発音する。ここでは、比較的簡単な構成で、歯切れのよい音を出すことができる。
【００１２】
発明５に係るスプールは、発明４のスプールにおいて、爪部材は、金属により形成されている。第２発音部は、爪部材を第１発音部方向に付勢する付勢部材をさらに有している。この場合、たとえばコイルばね等の付勢部材により、爪部材を確実に円板部材の凹凸部に接触させることができる。また、爪部材は金属製であるので、接触時にさらに歯切れのよい音を出すことができる。
【００１３】
発明６に係るスプールは、発明１から５のいずれかのスプールにおいて、係止部は、合成樹脂製部材である。この場合、係止部が釣り糸を挟持する弾性力を容易に得ることができる。
発明７に係るスプールは、発明６のスプールにおいて、係止部及び取付部は、合成樹脂により一体成形されている。この場合、安価な合成樹脂で一体成形することにより、低コスト化を図ることができる。
【００１４】
【発明の実施の形態】
本発明の一実施形態を採用したスピニングリールは、図１に示すように、フロントドラグ型のリールであって、ハンドル１を回転自在に支持するリール本体２と、ロータ３と、スプール４とを備えている。ロータ３はリール本体２の前部に回転自在に支持されている。スプール４は、釣り糸を外周面に巻き取るものであり、ロータ３の前部に前後移動自在に配置されている。
【００１５】
リール本体２は、リールボディ２ａと、リールボディ２ａから斜め上前方に延びる竿取付脚２ｂとを有している。リールボディ２ａは、図２に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１６】
ロータ駆動機構５は、ハンドル１が固定されたハンドル軸１０とともに回転するマスターギア１１と、このマスターギア１１に噛み合うピニオンギア１２とを有している。ピニオンギア１２は筒状に形成されており、その前部は、ロータ３の中心部を貫通し、ナットによりロータ３と固定されている。ピニオンギア１２は、その軸方向の中間部と後端部とが、それぞれ軸受を介してリール本体２に回転自在に支持されている。
【００１７】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は図示しない減速ギアを介してピニオンギア１２からの回転が伝達されるようになっている。
【００１８】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり、一体成形されている。
第１ロータアーム３１は、円筒部３０から外方に凸に湾曲して前方に延びており、円筒部３０との接続部分は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００１９】
第２ロータアーム３２は、円筒部３０から外方に凸に湾曲して前方に延びている。第２ロータアーム３２は、先端部から円筒部３０との接続部分に向けて２股に分岐しており、円筒部３０と周方向に間隔を隔てた２箇所で接続されている。第２ロータアーム３２の先端外周側には、第２ベール支持部材４２が揺動自在に装着されている。
【００２０】
ラインローラ４１と第２ベール支持部材４２との間には線材を略Ｕ状に湾曲させた形状のベール４３が固定されている。これらの第１ベール支持部材４０及び第２ベール支持部材４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２１】
スプール４は、ロータ３の第１ロータアーム３１と第２ロータアーム３２との間に配置されており、スプール軸１５の先端にドラグ機構６０を介して装着されている。スプール４は、図３に拡大して示すように、スプール本体７と、スプール本体７の前端部に取り付けられた大径の前フランジ部８と、前フランジ部８をスプール本体７に固定するための前フランジ部固定部材９とを有している。スプール本体７は、外周に釣り糸が巻かれる筒状の糸巻胴部７ａと、糸巻胴部７ａの後端部に一体成形された大径筒状のスカート部７ｂとを有している。スカート部７ｂは、内外周を貫通する釣糸係止部５０が装着されている。また、糸巻胴部７ａの後端部には、スプール４がスプール軸１５に対して相対回転したときに発音する発音機構７０が装着されている。
【００２２】
糸巻胴部７ａは、図３及び図４に示すように、外周に釣り糸が巻き付けられる筒状部７ｃと、筒状部７ｃの内周側にスプール軸１５に回転可能に取り付けられた内筒部材７ｄとを有している。筒状部７ｃは、アルミニウム合金の薄板をプレス加工により形成した筒状部材であり、スカート部７ｂと一体成形されている。内筒部材７ｄは、筒状部７ｃの内周側に取り付けられ、内周部にドラグ機構６０が装着される合成樹脂製の筒状部材である。内筒部材７ｄの前端部には、前フランジ部８及び前フランジ部固定部材９が装着されている。内筒部材７ｄの後端部には、スカート部７ｂの内周側に沿って立ち上がる内フランジ部７ｈが形成されている。内フランジ部７ｈには、雌ねじ部７ｉが形成されている。
【００２３】
スカート部７ｂは、図３及び図４に示すように、糸巻胴部７ａの後部から外周側に延びる後フランジ部７ｅと、後フランジ部７ｅの外周から後方に延びる円筒部７ｆとを有している。後フランジ部７ｅ及び円筒部７ｆは、アルミニウム合金の薄板をプレス加工により形成した部材であり、筒状部７ｃと一体成形されている。後フランジ部７ｅの後端には前述の内フランジ部７ｈが接触している。
【００２４】
前フランジ部８は、ステンレス合金製の部材であり、後方に折り曲げられた環状部材である。前フランジ部８は、図３に示すように、内筒部材７ｄの前端部に取り付けられ、内筒部材７ｄと前フランジ部固定部材９とにより挟持されて固定されている。
前フランジ部固定部材９は、前方に向かって縮径する筒状部材であって、内筒部材７ｄより大径になるように径方向に突出した合成樹脂製の部材である。前フランジ部固定部材９の後端部外周には、図３に示すように、内筒部材７ｄの前端部の内周側に形成された雌ねじ部７ｇに螺合する雄ねじ部９ａが形成されており、雌ねじ部７ｇに雄ねじ部９ａを螺合することにより前フランジ部固定部材９を内筒部材７ｄに固定している。
【００２５】
釣糸係止部５０は、図３から図５に示すように、スカート部７ｂの円筒部７ｆ外周に面して外方に露出して設けられた係止部７０ａと、係止部７０ａから略直角に折れ曲がり、スカート部７ｂを貫通し内部に延びる取付部７０ｂとを有している。釣糸係止部７０の係止部７０ａ及び取付部７０ｂは弾性変形可能な合成樹脂により一体成形されている。
【００２６】
係止部５０ａは、スカート部７ｂの外周面とともに釣り糸を挟持して係止するためのものであり、後方側に延びて形成されている。なお、係止部５０ａが配置される円筒部７ｆの一部は、円筒部７ｆの他の部分より凹んで形成されている。取付部５０ｂは、図３から図５に示すように、スカート部７ｂの後フランジ部７ｅ内周側に当接して配置された内フランジ部７ｈに後述する爪部材１７（第２発音部の一例）とともに取付手段１８により取り付けられている。
【００２７】
発音機構７０は、図３から図５に示すように、スプール軸１５に回転不能にワッシャ１５ａを介して装着された円板部材１６（第１発音部の一例）と、糸巻胴部７ａの後端部に取り付けられ円板部材１６と相対回転可能に装着された爪部材１７と、爪部材１７を円板部材１６側に付勢するばね部材１９とを有している。この発音機構７０は、スプール４がスプール軸１５に対して相対回転したとき、爪部材１７が円板部材１６に接触して発音するようになっている。
【００２８】
円板部材１６は、図３から図５に示すように、外周部の周方向に間隔を隔てて形成された複数の凹凸部１６ａが形成されており、内周部はスプール軸１５に回転不能に係合している。円板部材１６の内周部の外形はスプール軸１５の外形と同形状に形成されており、内筒部材７ｄの後端部に配置されたワッシャ１５ａによりスプール軸１５に軸方向に移動不能に固定されている。複数の凹凸部１６ａは、爪部材１７の先端部１７ａと対向する面に配置され、爪部材１７の先端部１７ａが凹凸部１６ａに接触することにより発音するようになっている。
【００２９】
爪部材１７は、図３から図５に示すように、先端部１７ａが下向きに突出した金属製の棒状部材であり、取付部５０ｂとともに取付手段１８により内フランジ部７ｈに取り付けられている。爪部材１７の先端部１７ａは円板部材１６の凹凸部１６ａに接触する位置に配置され、ばね部材１９により常に下向きの位置に復帰するようになっている。
【００３０】
取付手段１８は、図４及び図５に示すように、釣糸係止部５０の取付部５０ｂと発音機構７０の爪部材１７を内フランジ部７ｈに取り付けるためのものであり、取付部５０ｂを固定する第１ねじ部材１８ａと、第１ねじ部材１８ａに装着され爪部材１７を固定する第２ねじ部材１８ｂとを有している。
第１ねじ部材１８ａは、図４に示すように、外周に雄ねじが形成された雄ねじ部１８ｃと、ねじ部より大径に形成された頭部１８ｄと、頭部１８ｄに形成された雌ねじ部１８ｅとを有している。雄ねじ部１８ｃは、内フランジ部７ｈの雌ねじ部７ｉに螺合している。雄ねじ部１８ｃは、取付部５０ｂの貫通孔５０ｃを貫通し、頭部１８ｄが取付部５０ｂを押圧することにより内フランジ部７ｈに固定している。頭部１８ｄは、たとえば外形が六角形のねじ頭であり、頭部１８ｄの外周には、ばね部材１９が装着されている。雌ねじ部１８ｅには、第２ねじ部材１８ｂの雄ねじ部１８ｆが螺合している。
【００３１】
第２ねじ部材１８ｂは、図４に示すように、第１ねじ部材１８ａの雌ねじ部１８ｅに螺合する雄ねじ部１８ｆと、雄ねじ部ｆより大径の頭部１８ｇとを有している。雄ねじ部１８ｆは、爪部材１７の貫通孔１７ｂを貫通し、頭部１８ｇが爪部材１７を押圧することにより第１ねじ部材１８ａに固定している。頭部１８ｇには、図５に示すように、たとえばプラスドライバーが装着可能なビス頭になっている。
【００３２】
ばね部材１９は、第１ねじ部材１８ａの頭部１８ｄ外周に装着されたコイルばねであって、爪部材１７を常に下向きの位置に復帰するためのものである。ばね部材１９は、図４及び図５に示すように、一端部１９ａが爪部材１７の係止部１７ｃに係止され、他端部１９ｂが糸巻胴部７ａ後端部の係止突起７ｊに係止されている。
【００３３】
このようなスプール４では、釣糸係止部５０の取付部５０ｂは発音機構７０の爪部材１７とともに取り付けられている。ここでは、取付部５０ｂと爪部材１７とが１つの取付手段１８により取り付けられているので、取付部と爪部材とを別々に取り付ける場合に比して、全体の製造工程や部品点数を減少させることができる。したがって、スプール４の製造コストを抑えることができる。
【００３４】
〔他の実施形態〕
（ａ）  前記実施形態では、内筒部材７ｄは、合成樹脂製であったが、内筒部材の材質はこれに限定されるものではなく、アルミニウム合金等の軽合金製でもよい。また、前記実施形態では、筒状部７ｃは、スカート部７ｂと一体成形されていたが、筒状部７ｃとスカート部７ｂとを別体で形成してもよい。
【００３５】
（ｂ）  前記実施形態では、釣糸係止部５０は、係止部５０ａと取付部５０ｂとが合成樹脂により一体成形されていたが、これに限定されるものではなく、合成樹脂以外の弾性部材により形成したり、係止部５０ａと取付部５０ｂとを別体で形成してもよい。
（ｃ）  前記実施形態では、発音機構７０は、円板部材１６の凹凸部１６ａに爪部材１７の先端部１７ａを接触させて発音していたが、発音機構７０の構成はこれに限定されるものではない。たとえば、図示しないが、爪部材１７を弾性部材により形成し、ねじ部材１９を設けない構成にしてもよい。
【００３６】
（ｄ）  前記実施形態では、取付手段１８は、取付部５０ｂを固定する第１ねじ部材１８ａと、第１ねじ部材１８ａに装着され爪部材１７を固定する第２ねじ部材１８ｂとを有していたが、図示しないが１つのねじ部材で取付手段１８を構成してもよい。
【００３７】
【発明の効果】
本発明によれば、釣糸係止部の取付部はスカート部の内周側に第２発音部とともに取り付けられているので、スプールの製造コストを抑えることができる。
【図面の簡単な説明】
【図１】本発明の一実施形態によるスピニングリールの左側面図。
【図２】前記スピニングリールの左側面断面図。
【図３】前記スピニングリールのスプールの拡大断面図。
【図４】前記スプールの取付手段周辺の拡大断面図。
【図５】前記取付手段周辺の拡大平面図。
【符号の説明】
２  リール本体
４  スプール
７ａ  糸巻胴部
７ｂ  スカート部
１５  スプール軸
１６  円板部材
１６ａ  凹凸部
１７  爪部材
１８  取付手段
１８ａ  第１ねじ部材
１８ｂ  第２ねじ部材
１９  ばね部材
５０  釣糸係止部
５０ａ  係止部
５０ｂ  取付部
７０  発音機構
【図１】
2004329170.tif 000003
【図２】
2004329170.tif 000004
【図３】
2004329170.tif 000005
【図４】
2004329170.tif 000006
【図５】
2004329170.tif 000007